【手続補正書】
【提出日】平成16年12月8日(2004.12.8)
【手続補正１】
【補正対象書類名】明細書
【補正対象項目名】請求項４
【補正方法】変更
【補正の内容】
【請求項４】
複屈折層または複屈折板または−フィルムが液晶層と光反射用ミラーとの間に配列されている請求項１〜３のいずれか一つに記載の液晶ディスプレー。
【手続補正２】
【補正対象書類名】明細書
【補正対象項目名】請求項１２
【補正方法】変更
【補正の内容】
【請求項１２】
第二の複屈折層が電気光学的に切り換え可能な液晶配列でありそして偏光子と最初に記載した液晶層との間に配置されている請求項１〜３のいずれか一つに記載の液晶ディスプレー。
【手続補正３】
【補正対象書類名】明細書
【補正対象項目名】００１８
【補正方法】変更
【補正の内容】
【００１８】
更に液晶層２０２はキャラクターまたは画像点を表示するために用いられる通例の電極セグメントを形成する二枚の透明な電極２０７および２０８に接している。ここで説明するこのセクションは画像点を表示するための色である赤、緑および青の三つの色画素に分けられる個々の電極セグメントの各要素だけを示している。電極２０７の上側セクションは三つのサブ電極２０７ａ、２０７ｂおよび２０７ｃに分割されており、場合によっては分けられていてもよい電極２０８の反対側のセクションは個々のサブ電極２０７ａ、２０７ｂおよび２０７ｃと調和しているカラーフィルター２０９、２１０および２１１を備えている。個々のサブ電極２０７ａ、２０７ｂおよび２０７ｃ───画素電極とも称する───は電子的構成部材２１２、２１３および２１４、例えば薄膜トランジスタ等を有している。これらの電子的構成部材は、サブ電極２０７ａ、２０７ｂおよび２０７ｃを互いに無関係に作動させることができる図示してないドライバー電子部品(driver electronics)と一緒に活性のマトリックスを形成する。
【手続補正４】
【補正対象書類名】明細書
【補正対象項目名】００２５
【補正方法】変更
【補正の内容】
【００２５】
上記の第一の種類のディスプレーを製造する際の別の詳細な情報は、図６および７に関して以下に示す。
図６はかゝるディスプレーの第一の可能な実施態様を示している。必要とされる全ての供給導線および画素一つずつに絶縁された反射電極２２を備えた活性のマトリックス成分２１は支持体２０の上に存在している。図４の実施態様によると、支持体はガラス板またはプラスチックフィルムでもよい。場合によっては、支持体は活性マトリックス成分２１（例えばトランジスター等）が相応する作動用電子部品と一緒に単結晶状体（エピタクチカル）で提供されるシルコン結晶であってもよい（“シリコン背面（silicon backplane)" という言葉で知られている）。蒸着によって塗布されたアルミニウムから場合によっては提供される反射電極２２は複屈折四分の一波長層２３で被覆されている。これは配向したプラスチックフィルムまたはガラス様の液晶層からまたは互いに架橋した液晶分子から生成してもよい。
【手続補正５】
【補正対象書類名】明細書
【補正対象項目名】００２８
【補正方法】変更
【補正の内容】
【００２８】
液晶上での電圧低下の欠点は図７の実施態様によって除かれ、この第２の態様において、板２５、２６及び活性のマトリックス成分２１は図６に示す実施例の場合と同様に生成する。必要とされる光反射層は上述の如く、反射電極によって今度は形成されない。要するに誘電性ミラーによって実現され得る。この場合には相応する電極を、例えば架橋した液晶分子から形成される四分の一波長層２３に対して透明な電極２９を適用しそして適当な孔を介して活性のマトリックス成分に適当な孔を介して連結する。これらの孔は、例えば、四分の一波長層２３を横断する間にこの目的の為に使用されるフォトリソグラフィー孔開けされた適当なマスクを生じてもよい。図７の実施態様においては、ドライバー電子部材の全電圧が液晶の上に存在している。
【手続補正６】
【補正対象書類名】明細書
【補正対象項目名】００２９
【補正方法】変更
【補正の内容】
【００２９】
伝導用（例えば金属製）ミラーを使用する場合には、反対電極（即ち、電極が活性マトリックス要素に連結されていない）に関して規定の電圧を電気的に連結することができ、その際に活性マトリックス作動電極と一緒にコンデンサが形成される。かゝる貯蔵コンデンサは低い電圧を使用することを可能としそしてイオン性不純物に対し鈍感なディスプレーをもたらす。
【手続補正７】
【補正対象書類名】明細書
【補正対象項目名】００３０
【補正方法】変更
【補正の内容】
【００３０】
本発明の第三の種類の実施態様は、図７ａに詳細に説明されている。電極および反対電極を作動させる活性マトリックスの役割はこの実施態様では交換される。活性マトリックス５５は透明な支持体５４の上に位置しておりそして透明な電極５６を作動させる。反対電極５７も透明である。全電圧を液晶層５８（配向層５３の上での電圧低下を無視する）に負荷する。活性マトリックスを作動する電極５６に対する反対電極５７は複屈折板５２の上に位置しており、該板はミラー５１および支持体５０の上に取り付けられている。第三の実施態様は、最初の実施態様の複屈折板の上での電圧低下並びに第二の実施態様の複屈折板を通る電極の接続を更に複雑にするのを回避している。
【手続補正８】
【補正対象書類名】明細書
【補正対象項目名】００３１
【補正方法】変更
【補正の内容】
【００３１】
本発明の第二の種類のディスプレー（図３）では、追加的な複屈折要素が偏光子１０２と特定の液晶１０３との間の補償器１０５の形で配列されている第二の切り換え可能な液晶層である。
補償器１０５は、例えばＤＨＦセルとして形成されている液晶ディスプレーの入射光側に適用される。この場合には、図４に示したＤＨＦセルと反対に追加的な偏光子がない。勿論、補償器１０５は他の種類の液晶セルで形成されていてもよい。しかしながら本発明の目的にとって有利な物理的性質、例えば短いスイッチング時間を有していなければならない。
【手続補正９】
【補正対象書類名】明細書
【補正対象項目名】００３５
【補正方法】変更
【補正の内容】
【００３５】
大きな面積を持つディスプレーにとって、補整器１０５は一列づつ構成されていてもよく、画像情報を一列ずつ同時に書き込みながら作動し、スイス特許出願第３１４３／９５に開示され透過型の二層ＤＨＦディスプレーに類似する。これはこの実施態様のために“シリコン背面”の必要性が除かれることを意味する。
【手続補正１０】
【補正対象書類名】明細書
【補正対象項目名】００３７
【補正方法】変更
【補正の内容】
【００３７】
本発明のディスプレーの光透過性と簡単な透過セルとの比較を、以下のグラフに示す。このグラフは二つの交差偏光子に対して４５°でありそして５００ｎｍの必要とされる波長において上記の種類の半波長板を構成する簡単なディスプレーの計算された透過率スペクトルを示している。計算はJones matrix algorithmに基づいており、即ち、反射、干渉および吸収を無視している。更にグラフは図９に従う反射ディスプレーの光の状態の計算されたスペクトルを示している。理想のミラーをこの場合の前提条件とする。これらの二つのカーブの比較にて、本発明の配列が青および赤の波長の範囲において簡単な透過配列よりも実質的に高い光透過率を示すことが明瞭に判る。この効果は二つの偏光子（図２、３、６および７のディスプレーの場合）の間または二つの液晶層（図３の２つのセル型ディスプレーの場合）の間の角度を最適にすることによって僅かに改善することができる（このことに関しては、S.Panchcharatnam, Proc.Indian Acad, Sci,、A41 、137 、1955参照) 。しかしながらこれは、ちらつき作用をもたらす電圧反転に関する調和に逆の影響を及ぼす。
【手続補正１１】
【補正対象書類名】明細書
【補正対象項目名】００３９
【補正方法】変更
【補正の内容】
【００３９】
【表１】
1998274767.tif 000001
【手続補正１２】
【補正対象書類名】明細書
【補正対象項目名】００４０
【補正方法】変更
【補正の内容】
【００４０】
”白色”ディスプレーのための上記の最適化に代わるものとして、図樹２、６および７に示した実施態様において四分の一波長層５または２３は、異なった干渉色を生じるために、追加的に画素毎に複屈折を変えて製造してもよい。かゝる板または層を製造するための適切な方法は、M.Schadt, H.Seiberle, A.Schusterおよび S.M.Kellyよって文献“Photo-Induced Alignment and Patterning・・・、Jpn. J.Appl.Phys., L 764-L767,1995および  Photo-Generation of Linearly Polymerized Liquid crystal ... Jpn. J.Appl. Phys.  第34巻、3240〜3249頁、1995" に掲載されている。